(57)【特許請求の範囲】
【請求項１】
扉体を構成する表裏一対の面板の端縁部を略コ字形に折り返し折曲し、互いに対向する折曲先端側片同志の複数箇所を連結手段を介して一体に連結して扉体の端部連結をするにあたり、前記連結手段は、扉体の凹溝状をした端部フレームの両内壁面間に抜止め状に嵌合する一対の脚片部と、該脚片部から延設される一対の挟持片部とが形成されたものとし、該両挟持片部間に両折曲先端側片を挟持状に嵌合することで構成されることを特徴とする扉体の端部連結構造。
【請求項２】
請求項１において、端部フレームに対する脚片部の抜止めは、該脚片部に外方に向けて切欠き形成した係止爪が端部フレームの脚片に穿設の係止孔部に嵌合係止することで行われるようになっていることを特徴とする扉体の端部連結構造。
【発明の詳細な説明】
【０００１】
【発明の属する技術分野】
本発明は、オフィスビルやマンション等の建築物の開口部に建付けられる扉体の端部連結構造の技術分野に属するものである。
【０００２】
【従来の技術】
一般に、建築用の扉体のなかには、表裏一対の面板のあいだにコア材、端部フレームが介装されるものとして、図１２に示すように表裏面板１、３の端縁部がそれぞれコ字形に折り返し折曲され、その折曲先端側片２ａ、３ａ同志を接触状に対向させるようにして組立てたものがある。
【０００３】
【発明が解決しようとする課題】
しかるにこのものは、表裏面板２、３は、コア材４や端部フレーム５に接着固定されるものの、前記接触する折曲先端側片２ａ、３ａ同志は単に突き合っているだけで固定されたものではなく、このため、折曲先端側片２ａ、３ａやコア材４、端部フレーム５の寸法誤差や組立て誤差等によって折曲先端側片２ａ、３ａ間に隙間ができたとき、扉体開閉時にビビリ音が生じて騒音発生の原因となるうえ、接着力の低下により面板が剥離してしまう惧れもあり、ここに本発明が解決しようとする課題があった。
【０００４】
【課題を解決するための手段】
本発明は、上記の如き実情に鑑みこれらの課題を解決することを目的として創作されたものであって、請求項１の発明は、扉体を構成する表裏一対の面板の端縁部を略コ字形に折り返し折曲し、互いに対向する折曲先端側片同志の複数箇所を連結手段を介して一体に連結して扉体の端部連結をするにあたり、前記連結手段は、扉体の凹溝状をした端部フレームの両内壁面間に抜止め状に嵌合する一対の脚片部と、該脚片部から延設される一対の挟持片部とが形成されたものとし、該両挟持片部間に両折曲先端側片を挟持状に嵌合することで構成されることを特徴とする扉体の端部連結構造である。
請求項２の発明は、請求項１において、端部フレームに対する脚片部の抜止めは、該脚片部に外方に向けて切欠き形成した係止爪が端部フレームの脚片に穿設の係止孔部に嵌合係止することで行われるようになっていることを特徴とする扉体の端部連結構造である。
これによって、寸法誤差や組立て精度等の事情で折曲先端側片同志の間に隙間が生じたとしても連結手段により一体に連結されていて、扉体開閉時のビビリ音等の騒音を解消できるうえ、従来の表裏面板が接着剤により接着されているだけのもののように、接着力の低下により面板が剥離してしまうことを防止できる。
【０００５】
【発明の実施の形態】
次に、本発明の実施の形態を図面に基づいて説明するが、図１〜図９は本発明を説明するための参考の実施の形態であり、図１０、１１に本発明の実施の形態を示す。
まず、図１〜図９に示す参考の実施の形態において、１は開口部に建付けられる扉体であって、該扉体１は所定寸法に切断された長方形金属平板で形成される表裏一対の面板２、３と、これら面板２、３間に介装されるコア材４、端部フレーム５等の部材装置により構成されていること等は何れも従来通りの構成となっている。
【０００６】
前記表裏面板２、３の左右側縁部は、略コ字形に折り返し折曲されて扉体１の端部側面の先端に折曲先端側片２ａ、３ａが形成されているが、扉体１は、これら折曲先端側片２ａ、３ａ同志が互いに対向状に接当された状態で組立てられ、かつこれら表裏面板２、３間には、コア材４および左右端部に位置して端部フレーム５が介装されている。そして、戸先側となる両折曲先端側片２ａ、３ａは、凹溝状の端部フレーム５の凹部内において、上下方向複数箇所が本発明の連結手段により一体に連結されるが、該第一の実施の形態では、連結手段として連結具（本発明の連結手段に相当）６が用いられて両折曲先端側片２ａ、３ａが、上下方向に４５０ｍｍ以下のピッチで設けられて一体に連結されるように構成されている。
【０００７】
つまり、連結具６は、弾性を有する板状鋼材を用いて略Ｕ字形に折曲されて一対の嵌合片６ａ、６ｂが形成されたものなっている。そして、一方の嵌合片６ａは、開口側を一方の面板（本実施の形態においては表面板２）の折曲先端側片２ａ端部から差し込まれて面板側面にリベット６ｃ等の固着具で止着される固定部に構成されており、他方の嵌合片６ｂは、二股状に分岐し先端側に凹状に陥没した止め部６ｄが形成されており、該止め部６ｄと表面板折曲先端側片２ａとのあいだに、裏面板３の折曲先端側片３ａが外側方からスライド挿入され、これによって両嵌合片６ａ、６ｂとのあいだに両折曲先端側片２ａ、３ａが挟持状に嵌合されるようになっている。ここで、止め部６ｄは裏面板折曲先端側片３ａに弾圧状に接当するように設定されていて、両折曲先端側片２ａ、３ａに抜止め状に嵌合されている。
【０００８】
一方、吊元側となる折曲先端側片２ａ、３ａは、蝶番７の取付け部位に切欠き２ｂ、３ｂが形成され、ここに端部フレーム５と両面板２、３端部側面とのあいだに位置して蝶番用スペーサ７ａを介装して蝶番７をリベット７ｂ等により止着することで、両折曲先端側片２ａ、３ａ同志が一体に連結されるように設定されているが、蝶番７が設けられるスパンは戸先側の連結具６による連結スパンよりも長いものになっているので、蝶番７同志のあいだの適宜箇所に連結スペーサ７ｃを介装しこれを表裏面板２、３の端部側面にリベット等７ｂにより止着することで、両折曲先端側片２ａ、３ａ同志の一体的な連結がなされる設定となっている。ここで、スペーサ７ａ、７ｃをリベット７ｂ止着する場合、リベット頭が表裏面板２、３の端部側面から突出しないよう、該端部側面に穿設の孔２ｃ、３ｃをポンチ等により皿加工した後、リベット止着されている。さらに、図９に示された連結用スペーサ７ｄは、図７、８に示した中実状の連結用スペーサ７ｃと異なり断面略コ字形状に形成されているが、このものでは、連結用スペーサ７ｄと端部フレーム５とのあいだに隙間が形成されるため、表裏面板２、３の端部側面とのリベット止着が可能になって端部フレーム５に孔加工をする必要がない。
【０００９】
叙述の如く構成された参考の実施の形態において、表裏面板２、３は、前述したように、予め表面板２に連結具６の一方の嵌合片６ａを止着した後に、裏面板３を表面板２ａと他方の嵌合片６ｂとのあいだに挿入することで組立られることになるが、この場合に、両折曲先端側片２ａ、３ａは、連結具６の両嵌合片６ａ、６ｂとのあいだに挟持状に嵌合されることになって、両者が一体に連結されることになる。この結果、寸法誤差や組立て精度等の事情で折曲先端側片２ａ、３ａ同志の間に隙間が生じたとしても、これらは連結具６で固定されていることになって、扉体開閉時にビビリ音が生じて騒音発生の原因となってしまうようなことを防止できるうえ、従来の表裏面板が接着剤により接着されているだけのもののように、接着力の低下により面板が剥離してしまうことを防止できる。
【００１０】
さらにこのものでは、連結具６は弾性を有する鋼材で形成されているため、両折曲先端側片２ａ、３ａは連結具６により弾圧状に挟持、嵌合されることになって、両折曲先端側片２ａ、３ａ同志の一体かがより強固になされることになって、さらに有効な騒音防止効果が計れる。
【００１１】
次ぎに、本発明の実施の形態を図１０、１１に示すが、該図面において、第一の実施の形態と共通するもの（同一のもの）については、同一の符号を付して引き出すと供にその詳細については省略する。尚、図１については参考の実施の形態のものを共用できる。図面において、連結具１０は弾性を有する鋼材により端部フレーム５の凹溝形状に沿うよう略コ字形に形成されている。両脚片部１０ａには外方に向けて切欠かれた係止爪１０ｂが形成されている一方、端部フレーム５の脚片５ａには係止孔部５ｂが穿設されていて、係止爪１０ｂが係止孔部５ｂに嵌合係止することで両脚片部１０ａが端部フレーム５の両内壁面間に抜止め状に嵌合されている。そして、両脚片部１０ａからは一対の挟持片部１０ｃが延出して形成されており、これら挟持片部１０ｃのあいだに両折曲先端側片２ａ、３ａが挟持状に嵌合されるように設定されている。この場合、連結具１０は予め端部フレーム５に抜止め状にセットした後、表裏面板２、３の各折曲先端側片２ａ、３ａを順次挟持片部１０ｄ間に挿入することで組立られるように設定されており、この場合では、端部フレーム５による連結具１０の抜止めがなされることになる。
【図面の簡単な説明】
【図１】  扉体の全体斜視図である。
【図２】  参考の実施の形態における要部の横断面図である。
【図３】  参考の実施の形態における連結具の斜視図である。
【図４】  参考の実施の形態における要部説明斜視図である。
【図５】  参考の実施の形態における斜視図である。
【図６】  参考の実施の形態における蝶番部位の横断面図である。
【図７】  参考の実施の形態における連結用スペーサ部位の横断面図である。
【図８】  参考の実施の形態における連結用スペーサ部位の斜視図である。
【図９】  参考の実施の形態における連結用スペーサ部位の斜視図である。
【図１０】  本発明の実施の形態における説明図である。
【図１１】  本発明の実施の形態における連結具の斜視図である。
【図１２】  従来例の横断面図である。
【符号の説明】
１    扉体
２    表面板
２ａ    折曲先端側片
３    裏面板
４    コア材
５    端部フレーム
５ｂ  係止孔部
１０    連結具１０ａ  脚片部
１０ｂ  係止爪
【図１】
0003650912.tif 000002
【図２】
0003650912.tif 000003
【図３】
0003650912.tif 000004
【図４】
0003650912.tif 000005
【図５】
0003650912.tif 000006
【図６】
0003650912.tif 000007
【図７】
0003650912.tif 000008
【図８】
0003650912.tif 000009
【図９】
0003650912.tif 000010
【図１０】
0003650912.tif 000011
【図１１】
0003650912.tif 000012
【図１２】
0003650912.tif 000013